(57)【要約】      （修正有）【課題】乗り物の座席上方の棚にスーツケースを載せる時などに安全に持ち上げ動作を行うことができるスーツケースを提供する。【解決手段】スーツケース１が、スーツケースのキャスタ１０と、スーツケースの２つのシェル２、３と、２つのシェルのうちの一方のシェルの長手方向に延びる両側辺のうちの少なくとも一方の側辺に沿って設けられた固定ハンドル４と、を備える。さらには、使用者が固定ハンドルを掴むことができるように、シェルの一部が内方に窪んでいることを特徴とする。【選択図】図１
0003197681.tif 000002
【実用新案登録請求の範囲】
【請求項１】
該スーツケースのキャスタと、
該スーツケースの２つのシェルと、
上記２つのシェルのうちの一方のシェルの長手方向に延びる両側辺のうちの少なくとも一方の側辺に沿って設けられた固定ハンドルと、
を備える固定ハンドル付きスーツケース。
【請求項２】
該スーツケースのキャスタと、
該スーツケースの２つのシェルと、
上記２つのシェルの天部の４つの角部のうち少なくとも１つの角部に設けられたアーチ状の形状の固定ハンドルと、
を備える固定ハンドル付きスーツケース。
【請求項３】
上記固定ハンドルを人が掴むことができるように、上記シェルの一部が内方に窪んでいることを特徴とする請求項１又は請求項２に記載の固定ハンドル付きスーツケース。
【考案の詳細な説明】
【技術分野】
【０００１】
本考案は、固定ハンドル付きのスーツケースに関し、詳しくは、該スーツケースのシェルの側辺（シェルの正面と側面の境界線）に沿って延在する固定ハンドルを備えるスーツケース、或いは該スーツケースのシェルの天部の角部に設けられた固定ハンドルを備えるスーツケースに関する。
【背景技術】
【０００２】
従来のスーツケースは、手提げ用ハンドル（把持手段）を備えており、キャスタを有するスーツケースにおいては、手提げ用ハンドルに加えて、移動する際にスーツケースを曳けるようにキャリーハンドルを備えていることが普通である。
【０００３】
このようなスーツケースが重い場合にも、乗り物の座席上方の棚などに載せたり、棚から降ろしたりすることがある。そのようなときに、片方の手でシェル部を支えるのと同時にもう片方の手で手提げ用ハンドルあるいはキャリーハンドルを掴んだとしても、重いスーツケースを持ち上げることは容易ではなかった。
【０００４】
なぜなら、シェル部を支えている方の手は、手提げ用ハンドル又はキャリーハンドルを掴んでいる方の手と比べてしっかりとシェル部を支持することが難しいために、不安定な状態のままスーツケースを持ち上げざるをえないからであり、持ち上げたスーツケースが使用者の手から外れてしまうこともあった。
【先行技術文献】
【特許文献】
【０００５】
【特許文献１】特開２００７−１８５４０７号公報
【考案の概要】
【考案が解決しようとする課題】
【０００６】
本考案は、乗り物の座席上方の棚にスーツケースを載せる時などに安全に持ち上げることができる固定ハンドル付きスーツケースを提供することを目的とする。
【課題を解決するための手段】
【０００７】
一実施例においては、本考案の固定ハンドル付きスーツケースは、該スーツケースのキャスタと、該スーツケースの２つのシェルと、２つのシェルのうちの一方のシェルの長手方向に延びる両側辺のうちの少なくとも一方の側辺に沿って設けられた固定ハンドルと、を備える。
【０００８】
他の実施例においては、本考案の固定ハンドル付きスーツケースは、該スーツケースのキャスタと、該スーツケースの２つのシェルと、２つのシェルの天部の４つの角部のうち少なくとも１つの角部に設けられたアーチ状の形状の固定ハンドルと、を備える。
【０００９】
いくつかの実施例においては、人（使用者）が上記固定ハンドルを掴むことができるようにシェルの一部が内方に窪んでいることを特徴とする。
【００１０】
本考案の一実施例における固定ハンドル付きスーツケースによれば、キャスタ１０を使って立てられた状態で、２つのシェルのうちの一方のシェルの長手方向に延びる両側辺のうちの少なくとも一方の側辺に沿って鉛直方向に延在する固定ハンドルが設けられているので、スーツケースを乗り物の座席上方の棚に載せる際や降ろす際に、固定ハンドルを握ることによって安定よく該スーツケースを持つことができる。すなわち、本考案の固定ハンドル付きスーツケースは、該スーツケースを持ち上げる際や棚から降ろす際に乗り物が動きだして使用者の身体が不安定な状態になっても、しっかりと該スーツケースを保持することができるという利点がある。
【図面の簡単な説明】
【００１１】
【図１】本考案に係るスーツケースの一例を示す斜視図。
【図２】スーツケースの正面図。
【図３】スーツケースの側面図。
【図４】スーツケースの平面図（矢印Ａで示される円内の断面図を含む）。
【図５】図４のＡ部分の拡大図。
【図６】アーチ状の形状の固定ハンドルが設けられたスーツケースの正面図。
【図７】アーチ状の形状の固定ハンドルが設けられたスーツケースの側面図。
【考案を実施するための形態】
【００１２】
本考案のスーツケースの実施例について、添付の図面を参照しつつ以下に説明する。本明細書におけるスーツケースは、手で曳いて運ぶことができるキャスタ付きのスーツケースであって、キャリーケースなどの旅行用カバンの型式のスーツケースを含むものとする。
【００１３】
一実施例においては、図１〜図３に示されるように、スーツケース１の蓋側シェル２の長手方向に延びる両側辺に沿って１つずつ固定ハンドル４が設けられており、乗り物の座席上方の棚にスーツケース１を載せる際や棚からスーツケース１を降ろす際に使用することができる。
【００１４】
他の実施例においては、２つのシェルのうちの一方のシェルの長手方向に延びる両側辺のうちの一方の側辺のみに沿って延在するように１つの固定ハンドルが設けられている場合もある。
【００１５】
図２〜図４は、キャリーハンドル９が収納されている状態を示す。符号５ａは、スーツケース１の短手方向に沿って設けられた手提げ用ハンドルを示している。
【００１６】
スーツケース１は、該スーツケース１の蓋側シェル２と身側シェル３とが蝶番７（図４参照）などの開閉手段によって接続されてなり、これらの蓋側シェル２と身側シェル３は、それぞれの開口縁ないし開口縁近傍に設けられたメカロック８によって開閉できるようになっている。
【００１７】
一実施例においては、固定ハンドル４付近のシェルが内方に窪んで凹部６を形成しているので、固定ハンドル４は、シェルの正面や側面から突出していない（図２および図３参照）。よって、空港等で他人のスーツケースと接触しても固定ハンドル４で他人のスーツケースを傷つけてしまうことがない。
【００１８】
図４および図５においては、スーツケース１の内側（ケース内部１１）の一部が断面図で示されている。
【００１９】
本考案の他の実施例においては、図６に示されるように、スーツケース１００の２つのシェルの天部の４つの角部のうち少なくとも１つの角部に、アーチ状の形状の固定ハンドル１０４が設けられている。
【００２０】
図６および図７に示されているように、スーツケース１００の２つのシェルの天部の４つの角部の各々に固定ハンドル１０４が設けられている場合、２人の人間が両手で固定ハンドル１０４を掴んでスーツケース１００を持ち上げることが可能となる。アーチ状の形状の固定ハンドル１０４の個数は、４つの固定ハンドル１０４に限定されない。例えば、固定ハンドル１０４を１つだけ備えている場合もあれば、２つの固定ハンドル１０４を備えている場合もある。
【００２１】
なお固定ハンドルの形状は、図１〜図７に示した形状に限定されることなく、スーツケースの形態に相応しい種々の形状に形成され得ることに留意されたい。
【００２２】
固定ハンドルの素材についても限定されることなく、スーツケースの形態などに応じて種々の素材が選択され得る。例えば、固定ハンドルの外側が耐衝撃性の高い樹脂や金属で形成されているともに、固定ハンドルの内側は、使用者が握り易いように弾性や柔軟性のある素材で形成されているとよい。
【符号の説明】
【００２３】
１…スーツケース
２…蓋側シェル
３…身側シェル
４…固定ハンドル
５…手提げ用ハンドル
５ａ…手提げ用ハンドル
６…凹部
７…蝶番
８…メカロック
９…キャリーハンドル
１０…キャスタ
１１…ケース内部
１００…スーツケース
１０４…固定ハンドル
【図１】
0003197681.tif 000003
【図２】
0003197681.tif 000004
【図３】
0003197681.tif 000005
【図４】
0003197681.tif 000006
【図５】
0003197681.tif 000007
【図６】
0003197681.tif 000008
【図７】
0003197681.tif 000009